(57)【特許請求の範囲】
【請求項１】
ハウジングと、該ハウジングに回転可能に取り付けられた操作部と、前記ハウジング内に収納され、前記操作部によって回転可能な回転体とを備え、板バネからなる第１のＵ字状バネを有し、該第１のＵ字状バネは、前記ハウジングに設けられた凹状の収納部に収納されて取り付けられ、前記回転体の外円周面と前記第１のＵ字状バネ何れか一方には凸部、また、他方には凹部を設け、前記回転体の回転によって、前記凹凸部が係脱を行ってクリック感を持たせるようにしたことを特徴とするクリック付き回転型電気部品。
【請求項２】
前記回転体には前記凹部を設けると共に、前記第１のＵ字状バネには、前記凸部を設けたことを特徴とする請求項１記載のクリック付き回転型電気部品。
【請求項３】
前記凸部を凸条に形成すると共に、前記凹部を凹条に形成したことを特徴とする請求項２記載のクリック付き回転型電気部品。
【請求項４】
前記ハウジングには、後方の一端が開放した開放部を有する筒状の壁部を有し、前記収納部が前記操作部の軸方向に対して平行に前記壁部において形成され、前記第１のＵ字状バネ自由端側を前記開放部側、或いは前記収納部の奥部の一方に、また、前記第１のＵ字状バネの連結部側を前記開放部側、或いは前記収納部の奥部の他方に位置させて、前記第１のＵ字状バネを前記収納部に収納したことを特徴とする請求項２、又は３記載のクリック付き回転型電気部品。
【請求項５】
２個の前記第１のＵ字状バネを前記収納部に取り付け、前記回転体に対する２個の前記第１のＵ字状バネの前記凸部のそれぞれの摺動軌跡を異ならしめたことを特徴とする請求項４記載のクリック付き回転型電気部品。
【請求項６】
２個の前記第１のＵ字状バネの内の１個は、前記自由端側を前記開放部側に位置すると共に、前記連結部側を前記奥部に位置させ、また、もう１個は、前記自由端側を前記奥部に位置させると共に、前記連結部側を前記開放部側に位置させて取り付け、前記回転体に対する２個の前記第１のＵ字状バネの前記凸部のそれぞれの摺動軌跡を異ならしめたことを特徴とする請求項５記載のクリック付き回転型電気部品。
【請求項７】
板バネからなる第２のＵ字状バネを有し、該第２のＵ字状バネで前記回転体の外円周面を弾圧するようにしたことを特徴とする請求項２、又は３、又は４、又は５、又は６記載のクリック付き回転型電気部品。
【請求項８】
前記ハウジングの前記壁部は、多角形の外壁を有し、該外壁の角部と対向する前記壁部の内壁の部分に前記収納部を形成したことを特徴とする請求項２、又は３、又は４、又は５、又は６、又は７記載のクリック付き回転型電気部品。
【請求項９】
複数個の前記収納部の一つには、少なくとも前記第１のＵ字状バネが収納されると共に、他の前記収納部には、前記第１、或いは第２のＵ字状バネを収納し、複数個の前記Ｕ字状バネで前記回転体を回転軸心方向に弾圧したことを特徴とする請求項７、又は８記載の記載のクリック付き回転型電気部品。
【発明の詳細な説明】
【０００１】
【発明の属する技術分野】
本発明は、電子レンジ、音響等の電子機器に使用して好適なクリック付き回転型電気部品に関する。
【０００２】
【従来の技術】
従来のクリック付き回転型電気部品を、回転型可変抵抗器を例にして図１２、図１３に基づいて説明すると、金属板からなるコップ状のカバー５１には、操作部材５２が回転可能に取り付けられている。
そして、操作部材５２は、操作部５３と円盤状の回転体５４とが一体に設けられ、回転体５４がカバー５１内に収納された状態で、操作部５３がカバー５１から外方に突出している。
また、抵抗体５５と導電体５６を設けた絶縁基板５７がカバー５１の開放端に取り付けられ、回転体５４に取り付けられた摺動子５８が抵抗体５５と導電体５６に摺接するようになっている。
【０００３】
金属板からなる板バネ５９は、ジグザグ状に折り曲げ形成されたジグザグ部５９ａと、その端部には半球状の凸部５９ｂを有している。
そして、この板バネ５９は、回転体５４に設けられた孔５４ａに収納されて取り付けられ、凸部５９ｂがカバー５１に設けられた凹部５１ａに係脱を行うようになっている。
そして、操作部５３を回転すると回転体５４が回転し、これによって、摺動子５８が抵抗体５５と導電体５６上を摺動して抵抗値の可変を行うと共に、板バネ５９の凸部５９ｂがカバー５１の凹部５１ａと係脱を行って、操作部５３の回転にクリック感を得るようになっている。
【０００４】
【発明が解決しようとする課題】
従来のクリック付き回転型電気部品は、クリック感を得るための板バネ５９が回転体５４に取り付けられるため、板バネ５９を回転体５４に組み込んだ状態を維持して、これらをカバー５１に組み込む必要があり、組立性が悪く、コスト高になるという問題がある。
また、回転体５４の孔５４ａには、ジグザグ状をした板バネ５９が取り付けられるため、孔５４ａは、板バネ５９が軸方向に対して直角方向に移動するために大きくする必要が生じ、これによって、板バネ５９の取付がルーズとなり、板バネ５９が操作部５３の軸方向にガタツキを生じて、クリック感が悪くなるという問題がある。
また、板バネ５９はジグザグ状に形成されているため、その加工性が悪く、コスト高になるという問題がある。
また、ジグザグ状の板バネ５９が回転体５４の孔５４ｂに取り付けられるため、回転型電気部品の小型化の要求によって、回転体５４は薄く、且つ小型化されるに伴って、板バネ５９も小型になり、すると、特に、重いトルクを得ることが困難となるという問題がある。
【０００５】
【課題を解決するための手段】
上記課題を解決するための第１の解決手段として、ハウジングと、該ハウジングに回転可能に取り付けられた操作部と、前記ハウジング内に収納され、前記操作部によって回転可能な回転体とを備え、板バネからなる第１のＵ字状バネを有し、該第１のＵ字状バネは、前記ハウジングに設けられた凹状の収納部に収納されて取り付けられ、前記回転体の外円周面と前記第１のＵ字状バネ何れか一方には凸部、また、他方には凹部を設け、前記回転体の回転によって、前記凹凸部が係脱を行ってクリック感を持たせるようにした構成とした。
また、第２の解決手段として、前記回転体には前記凹部を設けると共に、前記第１のＵ字状バネには、前記凸部を設けた構成とした。
また、第３の解決手段として、前記凸部を凸条に形成すると共に、前記凹部を凹条に形成した構成とした。
【０００６】
また、第４の解決手段として、前記ハウジングには、後方の一端が開放した開放部を有する筒状の壁部を有し、前記収納部が前記操作部の軸方向に対して平行に前記壁部において形成され、前記第１のＵ字状バネの自由端側を前記開放部側、或いは前記収納部の奥部の一方に、また、前記第１のＵ字状バネの連結部側を前記開放部側、或いは前記収納部の奥部の他方に位置させて、前記第１のＵ字状バネを前記収納部に収納した構成とした。
また、第５の解決手段として、２個の前記第１のＵ字状バネを前記収納部に取り付け、前記回転体に対する２個の前記第１のＵ字状バネの前記凸部のそれぞれの摺動軌跡を異ならしめた構成とした。
また、第６の解決手段として、２個の前記第１のＵ字状バネの内の１個は、前記自由端側を前記開放部側に位置すると共に、前記連結部側を前記奥部に位置させ、また、もう１個は、前記自由端側を前記奥部に位置させると共に、前記連結部側を前記開放部側に位置させて取り付け、前記回転体に対する２個の前記第１のＵ字状バネの前記凸部のそれぞれの摺動軌跡を異ならしめた構成とした。
【０００７】
また、第７の解決手段として、板バネからなる第２のＵ字状バネを有し、該第２のＵ字状バネで前記回転体の外円周面を弾圧するようにした構成とした。
また、第８の解決手段として、前記ハウジングの前記壁部は、多角形の外壁を有し、該外壁の角部と対向する前記壁部の内壁の部分に前記収納部を形成した構成とした。
また、第９の解決手段として、複数個の前記収納部の一つには、少なくとも前記第１のＵ字状バネが収納されると共に、他の前記収納部には、前記第１、或いは第２のＵ字状バネを収納し、複数個の前記Ｕ字状バネで前記回転体を回転軸心方向に弾圧した構成とした。
【０００８】
【発明の実施の形態】
本発明のクリック付き回転型電気部品を図１〜図８に基づいて説明すると、図１〜図８は何れも本発明のクリック付き回転型電気部品の第１実施例に係り、図１は要部の断面図、図２はハウジングに操作部材を取り付けた状態を示す裏面図、図３はＵ字状バネの取付状態を示す要部の断面図、図５は第１のＵ字状バネの斜視図、図５は第２のＵ字状バネの斜視図、図６〜図８は動作を説明するための説明図である。
【０００９】
次に、本発明のクリック付き回転型電気部品を回転型可変抵抗器を例にして、図１〜図８に基づいて説明すると、亜鉛ダイキャスト、或いは合成樹脂の成型品等からなるハウジング１は、軸受け部１ａと、前側板１ｂを介して軸受け部１ａと一体に設けられた筒状の壁部１ｃとを有する。
また、ハウジング１の壁部１ｃには、一端が開放した開放部１ｄを有し、中央部に設けられた収容部１ｅと、多角形である四角形をなした外壁１ｆと、外壁１ｆの角部と対向する壁部１ｃの内壁に設けられた複数個の凹状の収納部１ｇとを有している。
また、前側板１ｂには、収容部１ｅに位置し、中心からの半径が異なる位置に形成された２個の係合凸部１ｈを有している。
【００１０】
また、合成樹脂の成型品等からなる操作部材２は、操作部３と回転体４を有し、操作部３の中心部には非円形状の孔３ａが設けられ、また、回転体４には、その外円周面に設けられた細長い凹条の複数個の凹部４ａと、前面の平坦面に設けられた中心からの半径を異にする２個の係合凹部４ｂを有する。
そして、この操作部材２は、操作部３を軸受け部１ａに挿通し、回転体４を収容部１ｅ内に収容した状態で、ハウジング１に回転と軸方向の移動が可能に取り付けられている。
また、操作部材２がハウジング１に取り付けられた際、凹条の凹部４ａは、操作部３の軸方向と平行な状態となると共に、係合凹部４ｂは、ハウジング１の係合凸部１ｈと係脱できるようになっている。
【００１１】
また、板バネから形成された第１のＵ字状バネ５は、二片を連結する連結部５ａと、二片の自由端部５ｂと、二片の一方の自由端部５ｂ側に設けられ、比較的長い凸条からなる凸部５ｃとを有する。
そして、この第１のＵ字状バネ５は、操作部３の軸方向に平行な状態にある収納部１ｇにおいて、自由端部５ｂ側を収納部１ｇの奥部に、また、連結部５ａを開放部１ｄ側にして収納し、凸部５ｃが回転体４の凹部４ａと係脱してクリック感を得るようになっている。
なお、回転体４に凹部４ａ、第１のＵ字状バネ５に凸部５ｃを設けたもので説明したが、この凹凸部を逆にして、回転体４と第１のＵ字状バネ５に設けても良い。
【００１２】
また、板バネから形成された第２のＵ字状バネ６は、二片を連結する連結部６ａと、二片の自由端部６ｂとを有する。
そして、この第２のＵ字状バネ６は、操作部３の軸方向に平行な状態にある収納部１ｇにおいて、自由端部６ｂ側を収納部１ｇの奥部に、また、連結部６ａを開放部１ｄ側にして収納し、また、一方の片で回転体４の外円周面を弾圧して、第１と第２のＵ字状バネ５、６で回転体４を回転軸心方向に弾圧し、回転体４が回転ブレの無いようにしている。
なお、第２のＵ字状バネ６を収納したもので説明したが、ここに第１のＵ字状バネ５を収納して、前記と同様の作用を行わしめても良い。
【００１３】
また、絶縁基板７には、抵抗体（図示せず）と導電体（図示せず）が設けられており、この絶縁基板７は、ハウジング１の開放部１ｄを塞ぐように配置されて、絶縁基板７の裏面に載置された取付板８によって、ハウジング１に取り付けられている。
また、合成樹脂の成型品からなる回転部９は、円盤状の受け部９ａと、受け部９ａの一面側に設けられた非円柱状の軸部９ｂと、受け部９ａの他面側に設けられた凸部９ｃとを有し、この回転部９の受け部９ａには、抵抗体と導電体に摺接する摺動子１０が取り付けられている。
そして、この回転部９は、軸部９ｂを操作部材２の孔３ａに挿入してスプライン結合すると共に、凸部９ｃを絶縁基板７の孔７ａに挿入して、回転可能に取り付けられている。
【００１４】
また、コイル状のバネ１１は、軸部９ｂの外周を囲むように孔３ａに挿入されて、操作部材２と回転部９との間に張架され、このバネ１１で、操作部材２を常時前側板１ｂに弾圧すると共に、回転部９を絶縁基板７側に付勢している。
これによって、操作部材２は、回転部９とスプライン結合した状態で、バネ１１に抗して軸方向に移動可能となっている。
そして、この移動時、回転体４も軸方向に移動するが、この時、回転体４に設けられた凹条の凹部４ａと第１のＵ字状バネ５に設けられた凸条の凸部５ｃとにより、凹凸部４ａ、５ｃの係合状態が外れることなく、また、Ｕ字状バネ５は、軸方向と平行に設けられているため、回転体４の軸方向の移動がスムーズにできるようになっている。
また、操作部材２を回転した時、回転部９を伴って回転し、摺動子１０が抵抗体と導電体上を摺接するようになっている。
【００１５】
次に、本発明のクリック付き回転型電気部品の動作を図６〜図８に基づいて説明すると、先ず、図６に示すような未作動の状態では、操作部材２の係合凹部４ｂには、ハウジング１の係合凸部１ｈが嵌入して、係合状態となっている。
この状態で、図７に示すように、操作部材２をバネ１１に抗して軸方向に押圧して、係合凹部４ｂと係合凸部１ｈの係合を外し、この状態で操作部材２を少し回転させた後、操作部材２の押圧を解除して、図８に示すような状態にする。
このように、一度、プッシュ動作を行わせることにより、電子レンジ等において、操作部材２を安易に回転できないようにして、安全性を保つようになっている。
【００１６】
そして、この図８の状態では、半径を異にする２個の係合凸部１ｈと係合凹部４ｂは、係合が外れて、係合凸部１ｈが回転体４の平坦面に当接した状態となる。  次に、この図８の状態で、操作部材２を回転すると、操作部材２は、回転体４の凹部４ａと第１のＵ字状バネ５の凸部５ｃとが係脱を行って、クリック動作を行うと共に、操作部材２とのスプライン結合により回転部９が回転され、摺動子７が抵抗体と導電体上を摺動して、抵抗値の調整を行うようになる。
そして、操作部材２は、タイマー等により前記回転方向とは逆の回転が行われると、図６に示すような元の状態に戻されるようになっている。
なお、本実施例において、操作部３と回転部９のスプライン結合は軸部９ｂと孔３ａで行ったが、回転体４の回転部９に対応する面に複数個の凸部を設け、回転部９にこれを挿通する貫通孔を設けても良く、その場合は、回転方向の結合度が高められる。
【００１７】
また、図９〜図１１は、本発明のクリック付き回転型電気部品の第２実施例を示し、図９は要部の断面図、図１０はハウジングに操作部材を取り付けた状態を示す裏面図、図１１はＵ字状バネの取付状態を示す要部の断面図である。
そして、クリック付き回転型電気部品の第２実施例を図９〜図１１に基づいて説明すると、亜鉛ダイキャスト、或いは合成樹脂の成型品等からなるハウジング２１は、軸受け部２１ａと、前側板２１ｂを介して軸受け部２１ａと一体に設けられた筒状の壁部２１ｃとを有する。
また、ハウジング２１の壁部２１ｃには、一端が開放した開放部２１ｄを有し、中央部に設けられた収容部２１ｅと、多角形である四角形をなした外壁２１ｆと、外壁２１ｆの角部と対向する壁部２１ｃの内壁に設けられた複数個の凹状の収納部２１ｇとを有している。
【００１８】
また、合成樹脂の成型品等からなる操作部材２２は、操作部２３と回転体２４を有し、回転体２４には、その外円周面に設けられた細長い凹条の複数個の凹部２４ａを有する。
そして、この操作部材２２は、操作部２３を軸受け部２１ａに挿通し、回転体２４を収容部２１ｅ内に収容した状態で、ハウジング２１に回転可能に取り付けられている。
また、操作部材２２がハウジング２１に取り付けられた際、凹条の凹部２４ａは、操作部２３の軸方向と平行な状態となっている。
また、操作部材２２が取り付けられた際、回転体２４と前側板２１ｂとの間には、トルク出しのためのＯリング２９が設けられている。
【００１９】
また、板バネから形成された第１のＵ字状バネ２５は、二片を連結する連結部２５ａと、二片の自由端部２５ｂと、二片の一方の自由端部２５ｂ側に設けられ、比較的長い凸条からなる凸部２５ｃとを有する。
そして、図１１に示すように、この第１のＵ字状バネ２５の１個は、操作部２３の軸方向に平行な状態にある収納部２１ｇにおいて、自由端部２５ｂ側を収納部２１ｇの奥部に、また、連結部２５ａを開放部２１ｄ側にして収納し、凸部２５ｃが回転体２４の凹部２４ａと係脱してクリック感を得るようになっている。
更に、この第１のＵ字状バネ２５のもう１個は、操作部２３の軸方向に平行な状態にある収納部２１ｇにおいて、自由端部２５ｂ側を開放部２１ｄ側に、また、連結部２５ａを収納部２１ｇの奥部にして収納し、凸部２５ｃが回転体２４の凹部２４ａと係脱してクリック感を得るようになっている。
【００２０】
これによって、一対の第１のＵ字状バネ２５の摺動軌跡を異ならせて、クリック動作の長寿命化を図っている。
なお、一対のＵ字状バネ２５の組込は、連結部２５ａが開放部２１ｄ側に向いた方のＵ字状バネ２５を収納部２１ｇに収納した後、操作部材２２をハウジング２１に取り付け、次に、他方のＵ字状バネ２５を取り付けるようになっている。
また、この実施例では、同じ第１のＵ字状バネ２５を用い、互いに逆向きに取り付けて、摺動軌跡を異ならしめたもので説明したが、例えば、凸部２５ｃの形成位置を違えた２個の第１のＵ字状バネ２５を、同じ方向に収納部２１ｅに収納して、摺動軌跡を異ならしめるようにしても良い。
更に、１個の第１のＵ字状バネ２５を、前記第１の実施例の第２のＵ字状バネ６に代えて、第１のＵ字状バネ２５と第２のＵ字状バネ６で回転体２４を回転軸心方向に弾圧し、回転体２４が回転ブレの無いようにしても良い。
なお、回転体２４に凹部２４ａ、第１のＵ字状バネ２５に凸部２５ｃを設けたもので説明したが、この凹凸部を逆にして、回転体２４と第１のＵ字状バネ２５に設けても良い。
【００２１】
また、摺動子２６が回転体２４に取り付けられている。
また、絶縁基板２７には、抵抗体（図示せず）と導電体（図示せず）が設けられており、この絶縁基板２７は、ハウジング２１の開放部２１ｄを塞ぐように配置されて、絶縁基板２７の裏面に載置された取付板２８によって、ハウジング２１に取り付けられ、摺動子２６が抵抗体と導電体とに摺動するようになっている。
【００２２】
次に、本発明のクリック付き回転型電気部品の第２実施例の動作を説明すると、先ず、操作部材２２を回転すると回転体２４が回転され、摺動子２７が抵抗体と導電体上を摺動して、抵抗値の調整を行うようになる。
また、操作部材２２の回転により、回転体２４の凹部２４ａと第１のＵ字状バネ２５の凸部２５ｃとが係脱を行って、クリック動作が行われ、クリック感を得るようになっている。
【００２３】
なお、上記実施例では、回転型可変抵抗器を例に説明したが、エンコーダ、回転型スイッチ等の回転型電気部品にも適用でること勿論である。
【００２４】
【発明の効果】
本発明のクリック付き回転型電気部品は、第１のＵ字状バネ５がハウジング１に設けられた凹状の収納部１ｅに収納されて取り付けられているため、その組立は、第１のＵ字状バネ５をハウジング１に取り付けた後、開放部１ｄ側から回転体４を挿入する、或いは回転体４を挿入後に、第１のＵ字状バネ２５を取り付ければ良く、従来のように板バネ５９を圧縮した状態で回転体５４を組み込むものに比して、組立性が良く、安価なクリック付き回転型電気部品を提供できる。
また、第１のＵ字状バネ５は、ハウジング１の収納部１ｅに取り付け、バネの撓みを見込んで必要以上に大きくする必要がないため、従来のように孔５４に板バネ５９を遊嵌するものに比して、第１のＵ字状バネ５をしっかりした状態で取り付けでき、クリック感の良好なクリック付き回転型電気部品を提供できる。
また、クリックを司る第１のＵ字状バネ５は、従来のようにジグザグ状のものに比して、その加工性が良好で、安価なクリック付き回転型電気部品を提供できる。
また、小型化の要求により回転体４、ハウジング１が小型化されても、第１のＵ字状バネ５を収納するハウジング１は、回転体４に比してその容積が大きく、従って、第１のＵ字状バネ５は、従来の板バネ５９に比して大きくでき、重いトルクにも対応できるクリック付き回転型電気部品を提供できる。
【００２５】
また、回転体４には凹部４ａを設けると共に、第１のＵ字状バネ５には、凸部５ｃを設けたため、構成が簡単で、安価なクリック付き回転型電気部品を提供できる。
また、凸部５ｃを凸条に形成すると共に、凹部４ａを凹条に形成した構成とすることにより、操作部材２を軸方向に移動可能なものにおいて、凹凸部が外れることが無く、クリック動作の確実で、また、軸の移動がスムーズなクリック付き回転型電気部品を提供できる。
【００２６】
また、第１のＵ字状バネ５の自由端５ｂ側を開放部１ｄ側、或いは収納部１ｇの奥部の一方に、また、第１のＵ字状バネ５の連結部５ａ側を開放部１ｄ側、或いは収納部１ｇの奥部の他方に位置させて、第１のＵ字状バネ５を収納部１ｇに収納したため、回転体４に対するクリック位置を必要に応じて変えることができ、融通性のあるクリック付き回転型電気部品を提供できる。
また、２個の第１のＵ字状バネ５を収納部１ｇに取り付け、回転体４に対する２個の第１のＵ字状バネ５の凸部５ｃのそれぞれの摺動軌跡を異ならしめたため、長寿命のクリック付き回転型電気部品を提供できる。
また、２個の第１のＵ字状バネ５の内の１個は、自由端５ｂ側を開放部１ｄ側に位置すると共に、連結部５ａ側を収納部１ｇの奥部に位置させ、また、もう１個は、自由端５ｂ側を収納部１ｇの奥部に位置させると共に、連結部５ａ側を開放部１ｄ側に位置させて取り付け、回転体４に対する２個の第１のＵ字状バネ５の凸部５ｃのそれぞれの摺動軌跡を異ならしめたため、長寿命のクリック動作が得られると共に、同じ形状の第１のＵ字状バネ５の向きを変えた組み込みで良く、従って、生産性が良く、安価なクリック付き回転型電気部品を提供できる。
【００２７】
また、板バネからなる第２のＵ字状バネ６で回転体４の外円周面を弾圧するようにしたため、第１のＵ字状バネ５との協同で、回転体４の回転軸中心を軸心と一致させることが出来、極めてブレの少ないクリック付き回転型電気部品を提供できる。
また、ハウジング１の壁部１ｃは、多角形の外壁１ｆを有し、該外壁１ｆの角部と対向する壁部１ｃの内壁の部分に収納部１ｇを形成したため、スペースファクタの良い第１、第２のＵ字状バネ５、６の取付ができ、Ｕ字状バネ５、６の取付が小型で、確実なクリック付き回転型電気部品を提供できる。
また、複数個の収納部１ｇの一つには、少なくとも第１のＵ字状バネ５が収納されると共に、他の収納部１ｇには、第１、或いは第２のＵ字状バネ５、６を収納し、複数個のＵ字状バネ５、６で回転体４を回転軸心方向に弾圧したため、回転体４の回転軸中心を軸心と一致させることが出来、極めてブレの少ないクリック付き回転型電気部品を提供できる。
【図面の簡単な説明】
【図１】本発明のクリック付き回転型電気部品の第１実施例を示す要部の断面図。
【図２】本発明のクリック付き回転型電気部品の第１実施例に係り、ハウジングに操作部材を取り付けた状態を示す裏面図。
【図３】本発明のクリック付き回転型電気部品の第１実施例に係り、Ｕ字状バネの取付状態を示す要部の断面図。
【図４】本発明のクリック付き回転型電気部品の第１実施例に係る第１のＵ字状バネの斜視図。
【図５】本発明のクリック付き回転型電気部品の第１実施例に係る第２のＵ字状バネの斜視図。
【図６】本発明のクリック付き回転型電気部品の第１実施例の動作を説明するための説明図。
【図７】本発明のクリック付き回転型電気部品の第１実施例の動作を説明するための説明図。
【図８】本発明のクリック付き回転型電気部品の第１実施例の動作を説明するための説明図。
【図９】本発明のクリック付き回転型電気部品の第２実施例を示す要部の断面図。
【図１０】本発明のクリック付き回転型電気部品の第１実施例に係り、ハウジングに操作部材を取り付けた状態を示す裏面図。
【図１１】本発明のクリック付き回転型電気部品の第１実施例に係り、Ｕ字状バネの取付状態を示す要部の断面図。
【図１２】従来のクリック付き回転型電気部品の要部の断面図。
【図１３】従来のクリック付き回転型電気部品に係る板バネの斜視図。
【符号の説明】
１  ハウジング
１ａ  軸受け部
１ｂ  前側板
１ｃ  壁部
１ｄ  開放部
１ｅ  収容部
１ｆ  外壁
１ｇ  収納部
１ｈ  係合凸部
２  操作部材
３  操作部
３ａ  孔
４  回転体
４ａ  凹部
４ｂ  係合凹部
５  第１のＵ字状バネ
５ａ  連結部
５ｂ  自由端部
５ｃ  凸部
６  第２のＵ字状バネ
６ａ  連結部
６ｂ  自由端部
７  絶縁基板
７ａ  孔
８  取付板
９  回転部
９ａ  受け部
９ｂ  軸部
９ｃ  凸部
１０  摺動子
１１  バネ
２１  ハウジング
２１ａ  軸受け部
２１ｂ  前側板
２１ｃ  壁部
２１ｄ  開放部
２１ｅ  収容部
２１ｆ  外壁
２１ｇ  収納部
２２  操作部材
２３  操作部
２４  回転体
２４ａ  凹部
２５  第１のＵ字状バネ
２５ａ  連結部
２５ｂ  自由端部
２５ｃ  凸部
２６  摺動子
２７  絶縁基板
２８  取付板
２９  Ｏリング
【図１】
0003587721.tif 000002
【図２】
0003587721.tif 000003
【図３】
0003587721.tif 000004
【図４】
0003587721.tif 000005
【図５】
0003587721.tif 000006
【図６】
0003587721.tif 000007
【図７】
0003587721.tif 000008
【図８】
0003587721.tif 000009
【図９】
0003587721.tif 000010
【図１０】
0003587721.tif 000011
【図１１】
0003587721.tif 000012
【図１２】
0003587721.tif 000013
【図１３】
0003587721.tif 000014